(57)【要約】      （修正有）【課題】医療費又はセルフメディケーション費に関する明細書を生成することができる情報処理装置及びプログラムを提供する。【解決手段】画像形成装置１０（情報処理装置）は、画像インターフェースと、記憶部と、プロセッサと、を備える。プロセッサは、画像から医療機関名及び医療費又は店舗名及びセルフメディケーション費を取得し、記憶部に、医療機関名及び医療費又は店舗名及びセルフメディケーション費を格納する。医療費控除の明細書を生成する場合、記憶部が格納する医療費を合算して第１の合計金額を算出し、医療機関名、医療費及び第１の合計金額に基づいて、医療費控除の明細書を生成する。セルフメディケーション税制の明細書を生成する場合、記憶部が格納するセルフメディケーション費を合算して第２の合計金額を算出し、店舗名、セルフメディケーション費及び第２の合計金額に基づいてセルフメディケーション税制の明細書を生成する。【選択図】図１
2020091750.tif 000002
【特許請求の範囲】
【請求項１】
画像を取得する画像インターフェースと、
記憶部と、
前記画像から、医療機関名及び医療費、又は、店舗名及びセルフメディケーション費を取得し、
前記記憶部に、前記医療機関名及び前記医療費、又は、前記店舗名及び前記セルフメディケーション費を格納し、
医療費控除の明細書を生成する場合、前記記憶部が格納する前記医療費を合算して第１の合計金額を算出し、前記医療機関名、前記医療費及び前記第１の合計金額に基づいて、前記医療費控除の明細書を生成し、
セルフメディケーション税制の明細書を生成する場合、前記記憶部が格納する前記セルフメディケーション費を合算して第２の合計金額を算出し、前記店舗名、前記セルフメディケーション費及び前記第２の合計金額に基づいて前記セルフメディケーション税制の明細書を生成する、
プロセッサと、
を備える情報処理装置。
【請求項２】
前記医療費控除の明細書は、控除額を含み、
前記セルフメディケーション税制の明細書は、控除額を含む、
前記請求項１に記載の情報処理装置。
【請求項３】
前記プロセッサは、
前記医療費を取得する場合、前記画像から取得した前記医療機関名に対応する医療費領域情報に基づいて、前記画像において前記医療費が記載される医療費領域を特定し、前記医療費領域から前記医療費を読み取る、
前記請求項１又は２に記載の情報処理装置。
【請求項４】
医療費領域の入力を受け付ける操作部を備え、
前記プロセッサは、前記医療費領域に基づく前記医療費領域情報を前記記憶部に格納する、
前記請求項３に記載の情報処理装置。
【請求項５】
前記プロセッサは、
前記セルフメディケーション費を取得する場合、前記画像から取得した前記店舗名に対応する記号領域情報に基づいて前記画像においてセルフメディケーション税制の対象となる商品を示す指定記号が記載される記号領域を特定し前記指定記号を読み取り、前記画像から取得した前記店舗名に対応する金額領域情報に基づいて前記画像において商品の金額が記載される金額領域を特定し、前記指定記号に基づいて前記金額領域に記載される金額から前記セルフメディケーション費を取得する、
前記請求項１乃至４の何れか１項に記載の情報処理装置。
【請求項６】
プロセッサによって実行されるプログラムであって、
前記プロセッサに、
画像を取得させ、
前記画像から、医療機関名及び医療費、又は、店舗名及びセルフメディケーション費を取得させ、
記憶部に、前記医療機関名及び前記医療費、又は、前記店舗名及び前記セルフメディケーション費を格納させ、
医療費控除の明細書を生成させる場合、前記記憶部が格納する前記医療費を合算して第１の合計金額を算出させ、前記医療機関名、前記医療費及び前記第１の合計金額に基づいて、前記医療費控除の明細書を生成させ、
セルフメディケーション税制の明細書を生成させる場合、前記記憶部が格納する前記セルフメディケーション費を合算して第２の合計金額を算出させ、前記店舗名、前記セルフメディケーション費及び前記第２の合計金額に基づいて前記セルフメディケーション税制の明細書を生成させる、
プログラム。
【発明の詳細な説明】
【技術分野】
【０００１】
本発明の実施形態は、情報処理装置及びプログラムに関する。
【背景技術】
【０００２】
画像形成装置（情報処理装置）には、病院で発行された領収書を集計し、合計金額などを印刷するものがある。そのような画像形成装置は、所定のシステムを導入している病院から情報を取得することで、各病院で発行された領収書を集計することができる。
【０００３】
しかしながら、従来、画像形成装置は、医療費又はセルフメディケーション費を集計し明細書を生成することができないという課題がある。
【先行技術文献】
【特許文献】
【０００４】
【特許文献１】特開２０１５−３２１３８号公報
【発明の概要】
【発明が解決しようとする課題】
【０００５】
上記の課題を解決するため、医療費又はセルフメディケーション費に関する明細書を生成することができる情報処理装置及びプログラムを提供する。
【課題を解決するための手段】
【０００６】
実施形態によれば、情報処理装置は、画像インターフェースと、記憶部と、プロセッサと、を備える。画像インターフェースは、画像を取得する。プロセッサは、前記画像から、医療機関名及び医療費、又は、店舗名及びセルフメディケーション費を取得し、前記記憶部に、前記医療機関名及び前記医療費、又は、前記店舗名及び前記セルフメディケーション費を格納し、医療費控除の明細書を生成する場合、前記記憶部が格納する前記医療費を合算して第１の合計金額を算出し、前記医療機関名、前記医療費及び前記第１の合計金額に基づいて、前記医療費控除の明細書を生成し、セルフメディケーション税制の明細書を生成する場合、前記記憶部が格納する前記セルフメディケーション費を合算して第２の合計金額を算出し、前記店舗名、前記セルフメディケーション費及び前記第２の合計金額に基づいて前記セルフメディケーション税制の明細書を生成する。
【図面の簡単な説明】
【０００７】
【図１】図１は、実施形態に係る画像形成装置の構成例を示すブロック図である。
【図２】図２は、実施形態に係る画像形成装置の表示例を示す図である。
【図３】図３は、実施形態に係る画像形成装置の表示例を示す図である。
【図４】図４は、実施形態に係る画像形成装置の表示例を示す図である。
【図５】図５は、実施形態に係る画像形成装置の動作例を示すフローチャートである。
【図６】図６は、実施形態に係る画像形成装置の動作例を示すフローチャートである。
【図７】図７は、実施形態に係る画像形成装置の動作例を示すフローチャートである。
【発明を実施するための形態】
【０００８】
以下、図面を参照しながら実施形態について説明する。  
実施形態に係る画像形成装置は、スキャナなどを用いて、病院などの医療機関が発行する領収書（第１の領収書）又は薬局などの店舗が発行する領収書（第２の領収書）を読み取る。画像形成装置は、読取結果に基づいて、医療費又はセルフメディケーション費の合計金額を示す明細書を生成する。画像形成装置は、明細書を用紙に印刷する。
【０００９】
次に、画像形成装置１０について説明する。図１は、画像形成装置１０（情報処理装置）の構成例を示すブロック図である。図１が示すように、画像形成装置１０は、プロセッサ１１、ＲＯＭ１２、ＲＡＭ１３、ＮＶＭ１４、通信部１５、操作部インターフェース１６、表示部インターフェース１７、プリンタインターフェース１８、スキャナインターフェース１９、操作部２６、表示部２７、プリンタ２８及びスキャナ２９などを備える。
【００１０】
プロセッサ１１と、ＲＯＭ１２、ＲＡＭ１３、ＮＶＭ１４、通信部１５、操作部インターフェース１６、表示部インターフェース１７、プリンタインターフェース１８及びスキャナインターフェース１９と、は、データバスなどを介して互いに接続する。操作部インターフェース１６は、操作部２６に接続する。表示部インターフェース１７は、表示部２７に接続する。プリンタインターフェース１８は、プリンタ２８に接続する。スキャナインターフェース１９は、スキャナ２９に接続する。
【００１１】
なお、画像形成装置１０は、図１が示すような構成の他に必要に応じた構成を具備したり、画像形成装置１０から特定の構成が除外されたりしてもよい。
【００１２】
プロセッサ１１は、画像形成装置１０全体の動作を制御する機能を有する。プロセッサ１１は、内部キャッシュ及び各種のインターフェースなどを備えてもよい。プロセッサ１１は、内部メモリ、ＲＯＭ１２又はＮＶＭ１４が予め記憶するプログラムを実行することにより種々の処理を実現する。
【００１３】
なお、プロセッサ１１がプログラムを実行することにより実現する各種の機能のうちの一部は、ハードウエア回路により実現されるものであってもよい。この場合、プロセッサ１１は、ハードウエア回路により実行される機能を制御する。
【００１４】
ＲＯＭ１２は、制御プログラム及び制御データなどが予め記憶された不揮発性のメモリである。ＲＯＭ１２に記憶される制御プログラム及び制御データは、画像形成装置１０の仕様に応じて予め組み込まれる。
【００１５】
ＲＡＭ１３は、揮発性のメモリである。ＲＡＭ１３は、プロセッサ１１の処理中のデータなどを一時的に格納する。ＲＡＭ１３は、プロセッサ１１からの命令に基づき種々のアプリケーションプログラムを格納する。また、ＲＡＭ１３は、アプリケーションプログラムの実行に必要なデータ及びアプリケーションプログラムの実行結果などを格納してもよい。
【００１６】
ＮＶＭ１４（記憶部）は、データの書き込み及び書き換えが可能な不揮発性のメモリである。ＮＶＭ１４は、たとえば、ＨＤＤ（Hard Disk Drive）、ＳＳＤ（Solid State Drive）又はフラッシュメモリなどから構成される。ＮＶＭ１４は、画像形成装置１０の運用用途に応じて制御プログラム、アプリケーション及び種々のデータなどを格納する。
【００１７】
ＮＶＭ１４は、第１の領域情報データベース、第２の領域情報データベース、医療費レコードデータベース及びセルフメディケーション費レコードデータベースなどを格納する。第１の領域情報データベース、第２の領域情報データベース、医療費レコードデータベース及びセルフメディケーション費レコードデータベースについては、後述する。
【００１８】
通信部１５は、外部装置とデータを送受信するためのインターフェースである。通信部１５は、所定のネットワークに接続するものであってもよい。通信部１５は、たとえば、有線又は無線のＬＡＮ接続をサポートするインターフェースである。
【００１９】
操作部インターフェース１６は、操作部２６とデータを送受信するためのインターフェースである。たとえば、操作部インターフェース１６は、操作部２６に入力された操作を示す信号をプロセッサ１１に送信する。また、操作部インターフェース１６は、操作部２６に電力を供給するものであってもよい。
【００２０】
表示部インターフェース１７は、表示部２７とデータを送受信するためのインターフェースである。たとえば、表示部インターフェース１７は、プロセッサ１１の制御に基づいて、画像データを表示部２７に送信する。また、表示部インターフェース１７は、表示部２７に電力を供給するものであってもよい。
【００２１】
プリンタインターフェース１８は、プリンタ２８とデータを送受信するためのインターフェースである。たとえば、プリンタインターフェース１８は、プロセッサ１１の制御に基づいて、イメージデータをプリンタ２８に送信する。また、プリンタインターフェース１８は、プリンタ２８に電力を供給するものであってもよい。
【００２２】
スキャナインターフェース１９（画像インターフェース）は、スキャナ２９とデータを送受信するためのインターフェースである。たとえば、スキャナインターフェース１９は、スキャナ２９からのスキャンデータ（画像）を取得しプロセッサ１１に送信する。また、スキャナインターフェース１９は、スキャナ２９に電力を供給するものであってもよい。
【００２３】
操作部２６は、オペレータから種々の操作の入力を受け付ける。操作部２６は、操作部インターフェース１６を通じて、入力された操作を示す信号をプロセッサ１１へ送信する。ここでは、操作部２６は、タッチパネルから構成される。
【００２４】
表示部２７は、プロセッサ１１からの画像データを表示する。たとえば、表示部２７は、液晶モニタから構成される。ここでは、表示部２７は、操作部２６と一体的に形成される。
【００２５】
プリンタ２８は、プロセッサ１１からのイメージデータなどに基づいて画像を用紙に印刷する。たとえば、プリンタ２８は、用紙を供給する供給部及び用紙に画像を印字する印字部などから構成される。
【００２６】
プリンタ２８は、用紙部から用紙を取り出して印字部まで搬送する。プリンタ２８は、印字部を用いて用紙に画像を形成する。印字部は、たとえば、インクジェット方式又は電子写真方式で用紙に画像を形成する。プリンタ２８の構成は、特定の構成に限定されるものではない。
【００２７】
スキャナ２９は、原稿からスキャンデータを取得するインターフェースである。たとえば、スキャナ２９は、画像形成装置１０の上部に形成される。スキャナ２９は、原稿を光学的に走査し、原稿の画像を読み取る。スキャナ２９は、原稿をセットする透明な原稿台及び主走査方向に形成されるセンサ列などから構成される。スキャナ２９は、原稿台にセットされた原稿を下方から読み取る。スキャナ２９は、副走査方向にセンサ列を移動し、原稿全体を読み取る。なお、スキャナ２９は、用紙を副走査方向に搬送して用紙全体を読み取ってもよい。また、スキャナ２９は、原稿を照らす光源などを備えてもよい。
【００２８】
次に、第１の領域情報データベースについて説明する。
【００２９】
第１の領域情報データベースは、医療機関ごとに、第１の領収書において住所が記載される領域（第１の住所領域）、日付が記載される領域（第１の日付領域）及び医療費が記載される領域（医療費領域）を示す。
【００３０】
住所は、医療機関の所在である。
【００３１】
日付は、ユーザが当該医療機関において治療を受けた日時である。
【００３２】
医療費は、治療に掛かった費用である。
【００３３】
たとえば、第１の領域情報データベースは、医療機関名と、第１の住所領域を示す第１の住所領域情報、第１の日付領域を示す第１の日付領域情報及び医療費領域を示す医療費領域情報とを対応付けて格納する。
【００３４】
たとえば、第１の住所領域情報は、第１の領収書において医療機関名が記載される領域（医療機関名領域）と相対的な位置（たとえば、第１の住所領域の４頂点の座標など）を示す。同様に、第１の日付領域情報は、医療機関名領域と相対的な位置（たとえば、第１の日付領域の４頂点の座標など）を示す。また、医療費領域情報は、医療機関名領域と相対的な位置（たとえば、医療費領域の４頂点の座標など）を示す。
【００３５】
次に、第２の領域情報データベースについて説明する。
【００３６】
第２の領域情報データベースは、店舗ごとに、第２の領収書において住所が記載される領域（第２の住所領域）、日付が記載される領域（第２の日付領域）、指定記号が記載される領域（記号領域）及び金額が記載される領域（金額領域）を示す。なお、金額領域は、金額及び商品名が記載される領域であってもよい。
【００３７】
住所は、店舗の所在である。
【００３８】
日付は、ユーザが当該店舗において商品を購入した日時である。
【００３９】
指定記号は、セルフメディケーション税制の対象となる医薬品を示す記号である。たとえば、指定記号は、セルフメディケーション税制の対象となる医薬品の商品名などの近傍に表示されるマークなどである。
【００４０】
金額は、ユーザが購入した商品の金額である。
【００４１】
たとえば、第２の領域情報データベースは、店舗名と、第２の住所領域を示す住所領域情報、第２の日付領域を示す第２の日付領域情報、記号領域を示す指定記号領域情報及び金額領域を示す金額領域情報とを対応付けて格納する。
【００４２】
たとえば、住所領域情報は、第２の領収書において店舗名が記載される領域（店舗名領域）と相対的な位置（たとえば、第１の住所領域の４頂点の座標など）を示す。同様に、日付領域情報は、店舗名領域と相対的な位置（たとえば、第２の日付領域の４頂点の座標など）を示す。また、指定記号領域情報は、店舗名領域と相対的な位置（たとえば、記号領域の４頂点の座標など）を示す。また、金額領域情報は、店舗名領域と相対的な位置（たとえば、金額領域の４頂点の座標など）を示す。
【００４３】
次に、医療費レコードデータベースについて説明する。
【００４４】
医療費レコードデータベースは、ユーザが治療を受けた医療機関名、住所、日付及び医療費などを示す医療費レコードを格納する。
【００４５】
医療費レコードは、医療機関名、住所、日付及び医療費を対応付けて格納する。
【００４６】
医療機関名、住所、日付及び医療費については、前述の通りである。
【００４７】
次に、セルフメディケーション費レコードデータベースについて説明する。
【００４８】
セルフメディケーション費レコードデータベースは、ユーザが医薬品を購入した店舗名、日付及びセルフメディケーション費などを示すセルフメディケーション費レコードを格納する。
【００４９】
セルフメディケーション費レコードは、店舗名、日付及びセルフメディケーション費を対応付けて格納する。
【００５０】
店舗名及び日付については、前述の通りである。
【００５１】
セルフメディケーション費は、セルフメディケーション税制の対象となる医薬品の金額である。即ち、セルフメディケーション費は、指定記号が示す医薬品の金額である。
【００５２】
次に、画像形成装置１０が実現する機能について説明する。画像形成装置１０が実現する機能は、プロセッサ１１がＲＯＭ１２又はＮＶＭ１４などに格納されるプログラムを実行することで実現される。
【００５３】
まず、画像形成装置１０のプロセッサ１１は、医療費レコードの登録又はセルフメディケーション費レコードの登録の何れを行うかを選択する機能を有する。
【００５４】
たとえば、プロセッサ１１は、医療費レコードの登録を示すアイコン及びセルフメディケーション費レコードの登録を示すアイコンを表示部２７に表示する。プロセッサ１１は、操作部２６を通じて両アイコンの何れかへのタップを受け付け、タップされたアイコンに基づいて医療費レコードの登録又はセルフメディケーション費レコードの登録の何れかを選択する。
【００５５】
また、プロセッサ１１は、医療費レコードの登録を選択した場合、スキャナ２９を用いて、医療機関が発行する第１の領収書の画像を取得する機能を有する。
【００５６】
ここでは、ユーザは、医療機関が発行する第１の領収書をスキャナ２９にセットするものとする。
【００５７】
プロセッサ１１は、スキャナ２９に対してスキャンを開始させる信号を送信する。スキャナ２９は、当該信号に従って第１の領収書をスキャンする。スキャナ２９は、スキャンして得られたスキャンデータをプロセッサ１１に送信する。
【００５８】
プロセッサ１１は、スキャンデータを第１の領収書の画像として取得する。
【００５９】
また、プロセッサ１１は、第１の領収書の画像から第１の領域情報データベースの医療機関名を抽出する機能を有する。
【００６０】
プロセッサ１１は、ＯＣＲ（Optical Character Recognition）処理によって第１の領収書の画像からテキストを抽出する。テキストを抽出すると、プロセッサ１１は、抽出したテキストに第１の領域情報データベースの医療機関名が含まれるか判定する。たとえば、プロセッサ１１は、第１の領域情報データベースの各医療機関名を当該テキストから検索する。
【００６１】
また、プロセッサ１１は、第１の領収書の画像から医療機関名の抽出に成功した場合、第１の領域情報データベースから第１の住所領域情報、第１の日付領域情報及び医療費領域情報を取得する機能を有する。
【００６２】
プロセッサ１１は、第１の領域情報データベースから、第１の領収書の画像から抽出した医療機関名に対応する第１の住所領域情報、第１の日付領域情報及び医療費領域情報を検索し取得する。
【００６３】
また、プロセッサ１１は、第１の領収書の画像から医療機関名の抽出に失敗した場合、医療機関名領域、第１の住所領域、第１の日付領域及び医療費領域の入力を受け付ける機能を有する。
【００６４】
たとえば、プロセッサ１１は、読み取った第１の領収書の画像を表示部２７に表示する。また、プロセッサ１１は、医療機関名領域、第１の住所領域、第１の日付領域及び医療費領域の入力を促すメッセージなどを表示部２７に表示する。
【００６５】
第１の領収書の画像を表示部２７に表示すると、プロセッサ１１は、操作部２６を通じて、ユーザから医療機関名領域、第１の住所領域、第１の日付領域及び医療費領域の入力を受け付ける。たとえば、プロセッサ１１は、操作部２６をタップした位置などに基づいて、医療機関名領域、第１の住所領域、第１の日付領域及び医療費領域の入力を受け付ける。
【００６６】
図２は、プロセッサ１１が第１の領収書の画像を表示部２７に表示する表示例を示す。図２が示すように、プロセッサ１１は、表示領域３０に第１の領収書の画像を表示する。
【００６７】
プロセッサ１１は、表示領域３０において、ユーザからのタップによって医療機関名領域、第１の住所領域、第１の日付領域及び医療費領域の入力を受け付ける。ここでは、プロセッサ１１は、医療機関名領域３１、第１の住所領域３２、第１の日付領域３３及び医療費領域３４の入力を受け付ける。
【００６８】
また、プロセッサ１１は、入力された医療機関名領域、第１の住所領域、第１の日付領域及び医療費領域を用いて、第１の領域情報データベースにレコードを登録する機能を有する。
【００６９】
プロセッサ１１は、入力された医療機関名領域から医療機関名を読み取る。医療機関名を読み取ると、プロセッサ１１は、第１の住所領域情報、第１の日付領域情報及び医療費領域情報を生成する。たとえば、プロセッサ１１は、医療機関名領域の位置と第１の住所領域の位置とから第１の住所領域情報を生成する。同様に、プロセッサ１１は、医療機関名領域の位置と第１の日付領域の位置とから第１の日付領域情報を生成する。また、プロセッサ１１は、医療機関名領域の位置と医療費領域の位置とから医療費領域情報を生成する。
【００７０】
第１の住所領域情報、第１の日付領域情報及び医療費領域情報を生成すると、プロセッサ１１は、医療機関名と第１の住所領域情報、第１の日付領域情報及び医療費領域情報とを対応付けたレコードを第１の領域情報データベースに登録する。
【００７１】
また、プロセッサ１１は、第１の住所領域情報、第１の日付領域情報及び医療費領域情報に基づいて住所、日付及び医療費を読み取る機能を有する。
【００７２】
プロセッサ１１は、第１の住所領域情報に基づいて、第１の領収書の画像において第１の住所領域を特定する。たとえば、プロセッサ１１は、医療機関名領域の位置と第１の住所領域情報とに基づいて第１の住所領域を特定する。なお、プロセッサ１１は、医療機関名の傾きにさらに基づいて第１の住所領域を特定してもよい。
【００７３】
第１の住所領域を特定すると、プロセッサ１１は、第１の住所領域から住所を読み取る。
【００７４】
また、プロセッサ１１は、第１の住所領域情報を第１の領域情報データベースに登録した場合、入力された第１の住所領域から住所を読み取ってもよい。
【００７５】
同様に、プロセッサ１１は、第１の日付領域情報に基づいて、第１の領収書の画像において第１の日付領域を特定する。第１の日付領域を特定すると、プロセッサ１１は、第１の日付領域から日付を読み取る。
【００７６】
また、プロセッサ１１は、医療費領域情報に基づいて、第１の領収書の画像において医療費領域を特定する。医療費領域を特定すると、プロセッサ１１は、医療費領域から医療費を読み取る。
【００７７】
また、プロセッサ１１は、読み取った医療機関名、住所、日付及び医療費を対応付けた医療費レコードを医療費レコードデータベースに登録する機能を有する。
【００７８】
プロセッサ１１は、読み取った医療機関名、住所、日付及び医療費を対応付けた医療費レコードを生成し医療費レコードデータベースに登録する。
【００７９】
また、プロセッサ１１は、セルフメディケーション費レコードの登録を選択した場合、スキャナ２９を用いて、店舗が発行する第２の領収書の画像を取得する機能を有する。
【００８０】
ここでは、ユーザは、店舗が発行する第２の領収書をスキャナ２９にセットするものとする。
【００８１】
プロセッサ１１は、スキャナ２９に対してスキャンを開始させる信号を送信する。スキャナ２９は、当該信号に従って第２の領収書をスキャンする。スキャナ２９は、スキャンして得られたスキャンデータをプロセッサ１１に送信する。
【００８２】
プロセッサ１１は、スキャンデータを第２の領収書の画像として取得する。
【００８３】
また、プロセッサ１１は、第２の領収書の画像から第２の領域情報データベースの店舗名を抽出する機能を有する。
【００８４】
プロセッサ１１は、ＯＣＲ処理によって第２の領収書の画像からテキストを抽出する。テキストを抽出すると、プロセッサ１１は、抽出したテキストに第２の領域情報データベースの店舗名が含まれるか判定する。たとえば、プロセッサ１１は、第２の領域情報データベースの各店舗名を当該テキストから検索する。
【００８５】
また、プロセッサ１１は、第２の領収書の画像から店舗名の抽出に成功した場合、第２の領域情報データベースから第２の住所領域情報、第２の日付領域情報、記号領域情報及び金額領域情報を取得する機能を有する。
【００８６】
プロセッサ１１は、第２の領域情報データベースから、第２の領収書の画像から抽出した店舗名に対応する第２の住所領域情報、第２の日付領域情報、記号領域情報及び金額領域情報を検索し取得する。
【００８７】
また、プロセッサ１１は、第２の領収書の画像から店舗名の抽出に失敗した場合、店舗名領域、第２の住所領域、第２の日付領域、記号領域及び金額領域の入力を受け付ける機能を有する。
【００８８】
たとえば、プロセッサ１１は、読み取った第２の領収書の画像を表示部２７に表示する。また、プロセッサ１１は、店舗名領域、第２の住所領域、第２の日付領域、記号領域及び金額領域の入力を促すメッセージなどを表示部２７に表示する。
【００８９】
第２の領収書の画像を表示部２７に表示すると、プロセッサ１１は、操作部２６を通じて、ユーザから店舗名領域、第２の住所領域、第２の日付領域、記号領域及び金額領域の入力を受け付ける。たとえば、プロセッサ１１は、操作部２６をタップした位置などに基づいて、店舗名領域、第２の住所領域、第２の日付領域、記号領域及び金額領域の入力を受け付ける。
【００９０】
図３は、プロセッサ１１が第２の領収書の画像を表示部２７に表示する表示例を示す。図３が示すように、プロセッサ１１は、表示領域４０に第２の領収書の画像を表示する。
【００９１】
プロセッサ１１は、表示領域４０において、ユーザからのタップによって店舗名領域、第２の住所領域、第２の日付領域、記号領域及び金額領域の入力を受け付ける。ここでは、プロセッサ１１は、店舗名領域４１、第２の住所領域４２、第２の日付領域４３、記号領域４４及び金額領域４５の入力を受け付ける。
【００９２】
また、プロセッサ１１は、入力された店舗名領域、第２の住所領域、第２の日付領域、記号領域及び金額領域を用いて、第２の領域情報データベースにレコードを登録する機能を有する。
【００９３】
プロセッサ１１は、入力された店舗名領域から店舗名を読み取る。店舗名を読み取ると、プロセッサ１１は、第２の住所領域情報、第２の日付領域情報、記号領域情報及び金額領域情報を生成する。たとえば、プロセッサ１１は、店舗名領域の位置と第２の住所領域の位置とから第２の住所領域情報を生成する。同様に、プロセッサ１１は、店舗名領域の位置と第２の日付領域の位置とから第２の日付領域情報を生成する。また、プロセッサ１１は、店舗名領域の位置と記号領域の位置とから記号領域情報を生成する。また、プロセッサ１１は、店舗名領域の位置と金額領域の位置とから金額領域情報を生成する。
【００９４】
第２の住所領域情報、第２の日付領域情報、記号領域情報及び金額領域情報を生成すると、プロセッサ１１は、店舗名と第２の住所領域情報、第２の日付領域情報、記号領域情報及び金額領域情報とを対応付けたレコードを第２の領域情報データベースに登録する。
【００９５】
また、プロセッサ１１は、第２の住所領域情報、第２の日付領域情報、記号領域情報及び金額領域情報に基づいて住所、日付、指定記号及び金額を読み取る機能を有する。
【００９６】
プロセッサ１１は、第２の住所領域情報に基づいて、第２の領収書の画像において第２の住所領域を特定する。たとえば、プロセッサ１１は、店舗名領域の位置と第２の住所領域情報とに基づいて第２の住所領域を特定する。なお、プロセッサ１１は、店舗名の傾きにさらに基づいて第２の住所領域を特定してもよい。
【００９７】
第２の住所領域を特定すると、プロセッサ１１は、第２の住所領域から住所を読み取る。
【００９８】
また、プロセッサ１１は、第２の住所領域情報を第２の領域情報データベースに登録した場合、入力された第２の住所領域から住所を読み取ってもよい。
【００９９】
同様に、プロセッサ１１は、第１の日付領域情報に基づいて、第２の領収書の画像において第２の日付領域を特定する。第２の日付領域を特定すると、プロセッサ１１は、第２の日付領域から日付を読み取る。
【０１００】
また、プロセッサ１１は、記号領域情報に基づいて、第２の領収書の画像において記号領域を特定する。記号領域を特定すると、プロセッサ１１は、記号領域から指定記号を読み取る。
【０１０１】
また、プロセッサ１１は、読み取った店舗名、住所、日付、指定記号及び金額に基づいて、セルフメディケーション費レコードをセルフメディケーション費レコードデータベースに登録する機能を有する。
【０１０２】
プロセッサ１１は、読み取った指定記号に基づいてセルフメディケーション税制の対象となる商品を特定する。たとえば、プロセッサ１１は、読み取った記号に近接する商品をセルフメディケーション税制の対象となる商品として特定する。
【０１０３】
商品を特定すると、プロセッサ１１は、読み取った金額から当該商品の金額を抽出する。たとえば、プロセッサ１１は、当該商品の商品名が記載される領域に隣接する金額を抽出する。金額を抽出すると、プロセッサ１１は、当該金額をセルフメディケーション費として取得する。
【０１０４】
なお、プロセッサ１１は、セルフメディケーション税制の対象となる商品を複数個特定した場合、各商品の金額を合算した値をセルフメディケーション費として取得する。
【０１０５】
セルフメディケーション費を取得すると、プロセッサ１１は、店舗名、住所、日付及びセルフメディケーション費を対応付けたセルフメディケーション費レコードを生成する。セルフメディケーション費レコードを生成すると、プロセッサ１１は、セルフメディケーション費レコードをセルフメディケーション費レコードデータベースに登録する。
【０１０６】
また、プロセッサ１１は、出力する明細書を選択する機能を有する。
【０１０７】
たとえば、プロセッサ１１は、医療費控除の明細書を示すアイコン及びセルフメディケーション税制の明細書を示すアイコンを表示部２７に表示する。プロセッサ１１は、操作部２６を通じて両アイコンの何れかへのタップを受け付け、タップされたアイコンに基づいて出力する明細書を選択する。
【０１０８】
また、プロセッサ１１は、明細書の年度を選択してもよい。たとえば、プロセッサ１１は、各年度を示すアイコンを表示部２７に表示する。プロセッサ１１は、操作部２６を通じてアイコンへのタップを受け付け、タップされたアイコンに基づいて明細書の年度を選択する。
【０１０９】
また、プロセッサ１１は、明細書の出力形式を選択してもよい。たとえば、プロセッサ１１は、「印刷」、「ＣＳＶ」及び「出力しない」をそれぞれ示すアイコンを表示する。「印刷」は、明細書を用紙に印刷することを示す。「ＣＳＶ」は、明細書をＣＳＶ（Comma Separated Value）形式のファイルとして出力することを示す。また、「出力しない」は、明細書を表示部２７に表示することを示す。プロセッサ１１は、操作部２６を通じてアイコンへのタップを受け付け、タップされたアイコンに基づいて出力形式を選択する。
【０１１０】
図４は、プロセッサ１１が明細書、年度及び出力形式の入力を受け付けるために表示部２７に表示する画面である。
【０１１１】
図４が示すように、プロセッサ１１は、アイコン５１（５１ａ並びに５１ｂ）、アイコン５２（５２ａ並びに５２ｂ）及びアイコン５３（５３ａ乃至５３ｃ）を表示する。
【０１１２】
アイコン５１は、明細書の年度を選択するためのアイコンである。アイコン５１ａは、２０１６年度を示す。また、アイコン５１ｂは、２０１７年度を示す。
【０１１３】
アイコン５２は、出力する明細書を選択するためのアイコンである。アイコン５２ａは、医療費の明細書を示す。アイコン５２ｂは、セルフメディケーション税制の明細書を示す。
【０１１４】
アイコン５３は、出力形式を選択するためのアイコンである。アイコン５３ａは、「印刷」を示すアイコンである。アイコン５３ｂは、「ＣＳＶ」を示すアイコンである。アイコン５３ｃは、「出力しない」を示すアイコンである。
【０１１５】
また、プロセッサ１１は、選択した明細書を出力する機能を有する。
【０１１６】
まず、プロセッサ１１が医療費控除の明細書を選択した場合について説明する。
【０１１７】
プロセッサ１１は、医療費レコードデータベースから、選択した年度の医療費レコードを抽出する。即ち、プロセッサ１１は、日付が当該年度の含まれる医療費レコードを抽出する。
【０１１８】
医療費レコードを抽出すると、プロセッサ１１は、各医療費レコードの医療費を合算して合計金額（第１の合計金額）を算出する。合計金額を算出すると、プロセッサ１１は、控除を受けることができる控除額を算出する。たとえば、プロセッサ１１は、合計金額から所定の金額（たとえば、１０００００円）を減算して控除額を算出する。
【０１１９】
控除額を算出すると、プロセッサ１１は、抽出した医療費レコード、合計金額及び控除額を示すＣＳＶデータを生成する。たとえば、プロセッサ１１は、抽出した各医療費レコードの医療機関名、住所、日付及び医療費を示すＣＳＶデータを生成する。プロセッサ１１は、ＣＳＶデータに合計金額及び控除額を追加する。
【０１２０】
ＣＳＶデータを生成すると、プロセッサ１１は、選択した出力形式に従って医療費控除の明細書を出力する。プロセッサ１１は、出力形式として「ＣＳＶ」を選択した場合、医療費控除の明細書としてＣＳＶデータを出力する。たとえば、プロセッサ１１は、外部メモリ（たとえば、ＵＳＢメモリ）などにＣＳＶデータを格納する。また、プロセッサ１１は、通信部１５を通じて外部装置にＣＳＶデータを送信してもよい。
【０１２１】
また、プロセッサ１１は、出力形式として「印刷」又は「出力しない」を選択した場合、ＣＳＶデータから、医療費控除の明細書のイメージデータを生成する。たとえば、プロセッサ１１は、国税庁に提出可能なフォーマットに従って、医療費控除の明細書のイメージデータを生成する。
【０１２２】
プロセッサ１１は、「印刷」を選択した場合、プリンタ２８を用いて、生成したイメージデータを用紙に印刷する。即ち、プロセッサ１１は、生成したイメージデータをプリンタ２８に送信する。
【０１２３】
また、プロセッサ１１は、出力形式として「出力しない」を選択した場合、生成したイメージデータを表示部２７に表示する。
【０１２４】
次に、プロセッサ１１がセルフメディケーション税制の明細書を選択した場合について説明する。
【０１２５】
プロセッサ１１は、セルフメディケーション費レコードデータベースから、選択した年度のセルフメディケーション費レコードを抽出する。即ち、プロセッサ１１は、日付が当該年度の含まれるセルフメディケーション費レコードを抽出する。
【０１２６】
セルフメディケーション費レコードを抽出すると、プロセッサ１１は、各セルフメディケーション費レコードのセルフメディケーション費を合算して合計金額（第２の合計金額）を算出する。合計金額を算出すると、プロセッサ１１は、控除を受けることができる控除額を算出する。たとえば、プロセッサ１１は、合計金額から所定の金額（たとえば、１００００円）を減算して控除額を算出する。
【０１２７】
控除額を算出すると、プロセッサ１１は、抽出したセルフメディケーション費レコード、合計金額及び控除額を示すＣＳＶデータを生成する。たとえば、プロセッサ１１は、抽出した各セルフメディケーション費レコードの店舗名、住所、日付及びセルフメディケーション費を示すＣＳＶデータを生成する。プロセッサ１１は、ＣＳＶデータに合計金額及び控除額を追加する。
【０１２８】
ＣＳＶデータを生成すると、プロセッサ１１は、選択した出力形式に従ってセルフメディケーション税制の明細書を出力する。プロセッサ１１は、出力形式として「ＣＳＶ」を選択した場合、セルフメディケーション税制の明細書としてＣＳＶデータを出力する。たとえば、プロセッサ１１は、外部メモリ（たとえば、ＵＳＢメモリ）などにＣＳＶデータを格納する。また、プロセッサ１１は、通信部１５を通じて外部装置にＣＳＶデータを送信してもよい。
【０１２９】
また、プロセッサ１１は、出力形式として「印刷」又は「出力しない」を選択した場合、ＣＳＶデータから、セルフメディケーション税制の明細書の画像データを生成する。たとえば、プロセッサ１１は、国税庁に提出可能なフォーマットに従って、セルフメディケーション税制の明細書のイメージデータを生成する。
【０１３０】
プロセッサ１１は、「印刷」を選択した場合、プリンタ２８を用いて、生成したイメージデータを用紙に印刷する。即ち、プロセッサ１１は、生成したイメージデータをプリンタ２８に送信する。
【０１３１】
また、プロセッサ１１は、出力形式として「出力しない」を選択した場合、生成したイメージデータを表示部２７に表示する。
【０１３２】
次に、画像形成装置１０の動作例について説明する。
【０１３３】
まず、画像形成装置１０が医療費レコード又はセルフメディケーション費レコードを登録する動作例について説明する。図５及び図６は、画像形成装置１０が医療費レコード又はセルフメディケーション費レコードを登録する動作例について説明するためのフローチャートである。
【０１３４】
まず、画像形成装置１０のプロセッサ１１は、医療費レコードの登録を選択したか判定する（ＡＣＴ１１）。医療費レコードの登録を選択したと判定すると（ＡＣＴ１１、ＹＥＳ）、プロセッサ１１は、スキャナ２９を用いて医療機関の第１の領収書をスキャンする（ＡＣＴ１２）。
【０１３５】
第１の領収書をスキャンすると、プロセッサ１１は、第１の領収書の画像に対してＯＣＲ処理を行う（ＡＣＴ１３）。第１の領収書の画像に対してＯＣＲ処理を行うと、プロセッサ１１は、読取結果に基づいて、第１の領収書から第１の領域情報データベースの医療機関名の抽出に成功したか判定する（ＡＣＴ１４）。
【０１３６】
第１の領収書から第１の領域情報データベースの医療機関名の抽出に成功したと判定すると（ＡＣＴ１４、ＹＥＳ）、プロセッサ１１は、抽出した医療機関名に対応する第１の住所領域情報、第１の日付領域情報及び医療費領域情報を取得する（ＡＣＴ１５）。
【０１３７】
第１の領収書から第１の領域情報データベースの医療機関名の抽出に失敗したと判定すると（ＡＣＴ１４、ＮＯ）、プロセッサ１１は、第１の領収書の画像を表示部２７に表示する（ＡＣＴ１６）。
【０１３８】
第１の領収書の画像を表示部２７に表示すると、プロセッサ１１は、医療機関名領域、第１の住所領域、第１の日付領域及び医療費領域の入力を受け付ける（ＡＣＴ１７）。医療機関名領域、第１の住所領域、第１の日付領域及び医療費領域の入力を受け付けると、プロセッサ１１は、医療機関名領域から医療機関名を読み取る（ＡＣＴ１８）。
【０１３９】
医療機関名を読み取ると、プロセッサ１１は、医療機関名と、第１の住所領域情報、第１の日付領域情報及び医療費領域情報とを対応付けたレコードを第１の領域情報データベースに登録する（ＡＣＴ１９）。
【０１４０】
第１の住所領域情報などを取得した場合（ＡＣＴ１５）、又は、レコードを登録した場合（ＡＣＴ１９）、プロセッサ１１は、第１の住所領域情報、第１の日付領域情報及び医療費領域情報に基づいて、第１の領収書の画像から住所、日付及び医療費を読み取る（ＡＣＴ２０）。
【０１４１】
住所、日付及び医療費を読み取ると、プロセッサ１１は、医療機関名、住所、日付及び医療費を対応付けた医療費レコードを医療費レコードデータベースに登録する（ＡＣＴ２１）。
【０１４２】
医療費レコードを医療費レコードデータベースに登録すると、プロセッサ１１は、動作を終了する。
【０１４３】
セルフメディケーション費レコードの登録を選択したと判定すると（ＡＣＴ１１、ＮＯ）、プロセッサ１１は、スキャナ２９を用いて店舗の第２の領収書をスキャンする（ＡＣＴ２２）。
【０１４４】
第２の領収書をスキャンすると、プロセッサ１１は、第１の領収書の画像に対してＯＣＲ処理を行う（ＡＣＴ２３）。第１の領収書の画像に対してＯＣＲ処理を行うと、プロセッサ１１は、読取結果に基づいて、第２の領収書から第２の領域情報データベースの店舗名の抽出に成功したか判定する（ＡＣＴ２４）。
【０１４５】
第２の領収書から第２の領域情報データベースの店舗名の抽出に成功したと判定すると（ＡＣＴ２４、ＹＥＳ）、プロセッサ１１は、抽出した店舗名に対応する第２の住所領域情報、第２の日付領域情報、記号領域情報及び金額領域情報を取得する（ＡＣＴ２５）。
【０１４６】
第２の領収書から第２の領域情報データベースの店舗名の抽出に失敗したと判定すると（ＡＣＴ２４、ＮＯ）、プロセッサ１１は、第２の領収書の画像を表示部２７に表示する（ＡＣＴ２６）。
【０１４７】
第２の領収書の画像を表示部２７に表示すると、プロセッサ１１は、店舗名領域、第２の住所領域、第２の日付領域、記号領域及び金額領域の入力を受け付ける（ＡＣＴ２７）。店舗名領域、第２の住所領域、第２の日付領域、記号領域及び金額領域の入力を受け付けると、プロセッサ１１は、店舗名領域から店舗名を読み取る（ＡＣＴ２８）。
【０１４８】
店舗名を読み取ると、プロセッサ１１は、店舗名と、第２の住所領域情報、第２の日付領域情報、記号領域情報及び金額領域情報とを対応付けたレコードを第２の領域情報データベースに登録する（ＡＣＴ２９）。
【０１４９】
第２の住所領域情報などを取得した場合（ＡＣＴ２５）、又は、レコードを登録した場合（ＡＣＴ２９）、プロセッサ１１は、第２の住所領域情報、第２の日付領域情報、記号領域情報及び金額領域情報に基づいて、第２の領収書の画像から住所、日付、指定記号及び金額を読み取る（ＡＣＴ３０）。
【０１５０】
住所などを読み取ると、プロセッサ１１は、住所などに基づいて、店舗名、住所、日付及びセルフメディケーション費を対応付けたセルフメディケーション費レコードをセルフメディケーション費レコードデータベースに登録する（ＡＣＴ３１）。
【０１５１】
セルフメディケーション費レコードをセルフメディケーション費レコードデータベースに登録すると、プロセッサ１１は、動作を終了する。
【０１５２】
次に、画像形成装置１０が明細書を出力する動作例について説明する。図７は、画像形成装置１０が明細書を出力する動作例について説明するためのフローチャートである。
【０１５３】
まず、画像形成装置１０のプロセッサ１１は、出力する明細書、年度及び出力形式の入力を受け付けるメニュー（たとえば、図４の画像）を表示部２７に表示する（ＡＣＴ４１）。メニューを表示すると、プロセッサ１１は、出力する明細書、年度及び出力形式の入力を受け付ける（ＡＣＴ４２）。
【０１５４】
出力する明細書、年度及び出力形式の入力を受け付けると、プロセッサ１１は、医療費控除の明細書の選択を受け付けたか判定する（ＡＣＴ４３）。医療費控除の明細書の選択を受け付けたと判定すると（ＡＣＴ４３、ＹＥＳ）、プロセッサ１１は、入力された年度の医療費レコードを医療費レコードデータベースから抽出する（ＡＣＴ４４）。
【０１５５】
医療費レコードを抽出すると、プロセッサ１１は、抽出した各医療費レコードの医療費を合算して合計金額を算出する（ＡＣＴ４５）。合計金額を算出すると、プロセッサ１１は、合計金額に基づいて控除額を算出する（ＡＣＴ４６）。
【０１５６】
セルフメディケーション税制の明細書の選択を受け付けたと判定すると（ＡＣＴ４３、ＮＯ）、プロセッサ１１は、入力された年度のセルフメディケーション費レコードをセルフメディケーション費レコードデータベースから抽出する（ＡＣＴ４７）。
【０１５７】
セルフメディケーション費レコードを抽出すると、プロセッサ１１は、抽出した各セルフメディケーション費レコードのセルフメディケーション費を合算して合計金額を算出する（ＡＣＴ４８）。合計金額を算出すると、プロセッサ１１は、合計金額に基づいて控除額を算出する（ＡＣＴ４９）。
【０１５８】
合計金額に基づいて控除額を算出した場合（ＡＣＴ４６）、又は、合計金額に基づいて控除額を算出した場合（ＡＣＴ４９）、プロセッサ１１は、抽出した医療費レコード又はセルフメディケーション費レコードなどに基づいてＣＳＶデータを生成する（ＡＣＴ５０）。
【０１５９】
ＣＳＶデータを生成すると、プロセッサ１１は、出力形式として「ＣＳＶ」の選択を受け付けたか判定する（ＡＣＴ５１）。出力形式として「ＣＳＶ」の選択を受け付けたと判定すると（ＡＣＴ５１、ＹＥＳ）、プロセッサ１１は、ＣＳＶデータを出力する（ＡＣＴ５２）。
【０１６０】
出力形式として「ＣＳＶ」の選択を受け付けていないと判定すると（ＡＣＴ５１、ＮＯ）、プロセッサ１１は、ＣＳＶデータに基づいて明細書のイメージデータを生成する（ＡＣＴ５３）。
【０１６１】
イメージデータを生成すると、プロセッサ１１は、出力形式として「印刷」の選択を受け付けたか判定する（ＡＣＴ５４）。出力形式として「印刷」の選択を受け付けたと判定すると（ＡＣＴ５４、ＹＥＳ）、プロセッサ１１は、プリンタ２８を用いてイメージデータを印刷する（ＡＣＴ５５）。
【０１６２】
出力形式として「出力しない」の選択を受け付けたと判定すると（ＡＣＴ５４、ＮＯ）、プロセッサ１１は、イメージデータを表示部２７に表示する（ＡＣＴ５６）。
【０１６３】
ＣＳＶデータを出力した場合（ＡＣＴ５２）、プリンタ２８を用いてイメージデータを印刷した場合（ＡＣＴ５５）、又は、イメージデータを表示部２７に表示した場合（ＡＣＴ５６）、プロセッサ１１は、動作を終了する。
【０１６４】
なお、プロセッサ１１は、イメージデータを外部装置に出力してもよい。たとえば、プロセッサ１１は、イメージデータを外部メモリ（たとえば、ＵＳＢメモリ）などに格納してもよい。また、プロセッサ１１は、外部サーバ（たとえば、オンラインで控除申請を受け付けるサーバ）などにイメージデータを送信してもよい。
【０１６５】
また、画像形成装置１０は、スキャナ２９を備えなくともよい。たとえば、画像形成装置１０のプロセッサ１１は、外部のカメラから第１の領収書又は第２の領収書を撮影した画像を取得してもよい。たとえば、プロセッサ１１は、スマートフォン又はタブレットＰＣなどの携帯端末から画像を取得してもよい。
【０１６６】
また、画像形成装置１０は、プリンタ２８を備えなくともよい。画像形成装置１０のプロセッサ１１は、外部のプリンタにイメージデータを送信してもよい。
【０１６７】
また、プロセッサ１１は、スキャナ２９から取得したスキャンデータに基づいて、スキャンデータが、医療機関が発行した第１の領収書の画像又は店舗が発行した第２の領収書の画像であるかを判定してもよい。
【０１６８】
また、プロセッサ１１は、第１の住所領域情報、第１の日付領域情報、医療費領域情報、第２の住所領域情報、第２の日付領域情報、記号領域情報及び金額情報を外部装置（たとえば、ネットワークを通じて通信するサーバなど）から取得してもよい。
【０１６９】
以上のように構成された画像形成装置は、医療機関が発行した第１の領収書の画像から医療費を読み取る。画像形成装置は、読み取った医療費を合算し、医療費控除の明細書を出力する。
【０１７０】
また、画像形成装置は、店舗が発行した第２の領収書の画像からセルフメディケーション費を読み取る。画像形成装置は、読み取ったセルフメディケーション費を合算し、セルフメディケーション税制の明細書を出力する。
【０１７１】
従って、画像形成装置は、医療費又はセルフメディケーション費の合計金額を出力することができる。
【０１７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１７３】
１０…画像形成装置、１１…プロセッサ、１２…ＲＯＭ、１３…ＲＡＭ、１４…ＮＶＭ、１５…通信部、１６…操作部インターフェース、１７…表示部インターフェース、１８…プリンタインターフェース、１９…スキャナインターフェース、２６…操作部、２７…表示部、２８…プリンタ、２９…スキャナ、３０…表示領域、３１…医療機関名領域、３２…第１の住所領域、３３…第１の日付領域、３４…医療費領域、４０…表示領域、４１…店舗名領域、４２…第２の住所領域、４３…第２の日付領域、４４…記号領域、４５…金額領域、５１（５１ａ及び５１ｂ）…アイコン、５２（５２ａ及び５２ｂ）…アイコン、５３（５３ａ乃至５３ｃ）…アイコン。
【図１】
2020091750.tif 000003
【図２】
2020091750.tif 000004
【図３】
2020091750.tif 000005
【図４】
2020091750.tif 000006
【図５】
2020091750.tif 000007
【図６】
2020091750.tif 000008
【図７】
2020091750.tif 000009